(57)【要約】本発明は、食品および飲料製品用の金属製の容器に関し、より詳細には、電子レンジ対応の透明部（１４）と、選択的に着脱可能な金属製のフタ（４）とを備えた、実質的に金属製の容器（２）に関し、容器（２）は、従来の電子レンジで使用が可能である。
2007528262.tif 000002
【特許請求の範囲】
【請求項１】
電子レンジ内で食料品を調理するための、実質的に金属製の容器であって、
上端と下端とによって定義される金属製側壁と、
前記金属製側壁の前記上端に機能的に相互接続される、選択的に着脱可能なフタと、
密封シール状態を作り出すため、前記金属製側壁の前記下端に継ぎ合わせられる、電子レンジ対応の透明底部と、前記選択的に着脱可能なフタの取り外し時に、食料品が、前記実質的に金属製の容器内で保存される、あるいはその後に調理されることと
から成る、実質的に金属製の容器。
【請求項２】
前記電子レンジ対応透明材料が、ポリプロピレン、ポリエチレン、および多層ポリプロピレン／ＥＶＯＨ材料の少なくとも１つから構成される、請求項１に記載の実質的に金属製の容器。
【請求項３】
前記電子レンジ対応透明材料が、さらに、エチルビニルアルコールから少なくとも部分的に構成される、請求項１に記載の実質的に金属製の容器。
【請求項４】
前記実質的に金属製の容器の上端が、下端よりも大きい直径を有する、請求項１に記載の実質的に金属製の容器。
【請求項５】
前記実質的に金属製の容器が、実質的に円錐断面形状を有する、請求項４に記載の実質的に金属製の容器。
【請求項６】
前記電子レンジ対応透明材料の外周縁の実質的に周囲に伸び、前記金属製側壁の前記下端に機能的に相互接続される金属製補強部材からさらに成る、請求項１に記載の実質的に金属製の容器。
【請求項７】
前記継ぎ目が、少なくとも５層の金属材料と、少なくとも１層の電子レンジ対応透明材料との断面から成る、請求項１に記載の実質的に金属製の容器。
【請求項８】
前記継ぎ目が、エラストマと、シリコンと、ラテックスベース材料の少なくとも１つから構成されるシール材料からさらに成る、請求項１に記載の実質的に金属製の容器。
【請求項９】
前記金属製側壁が、溶接鋼と、延伸および鉄打ち鋼と、延伸鋼と、延伸・再延伸鋼と、アルミニウム材料の少なくとも１つから構成される、請求項１に記載の実質的に金属製の容器。
【請求項１０】
前記金属製側壁の前記上端に着脱式に相互接続されるようになっている、着脱式プラスチック製フタからさらに成る、請求項１に記載の実質的に金属製の容器。
【請求項１１】
前記側壁の外表面に機能的に相互接続される非金属絶縁材料からさらに成る、請求項１に記載の実質的に金属製の容器。
【請求項１２】
前記非金属絶縁材料が、外表面上に印刷される印から成る、請求項１１に記載の実質的に金属製の容器。
【請求項１３】
前記選択的に着脱可能なフタが、取り外しを促進するためのプルタブからさらに成る、請求項１１に記載の実質的に金属製の容器。
【請求項１４】
嫌気状態で食料品を保存するための、電子レンジ対応の金属製容器であって、
上端と下端との間に伸び、実質的にその間に伸びる溶接継ぎ目を含む金属製側壁と、
前記金属製側壁の前記上端に機能的に相互接続される、選択的に着脱可能なフタと、
前記金属側壁の前記下端に密封シールされ、少なくとも約１インチの直径を有する、電子レンジ対応の透明底部と、
前記電子レンジ対応透明材料と、前記金属製側壁の前記下端とに相互接続され、約０．７５インチ以内の距離で、前記金属側壁から内側に伸びる補強部材と、
前記補強部材と、前記電子レンジ対応透明材料と、前記金属側壁の内少なくとも２つに機能的に接触するシール剤と、食料品の嫌気保存のために密封シールが提供され、前記選択的に着脱可能な金属製フタの取り外し時に、食料品が、電子レンジ内の前記金属製容器内で加熱され得ることと
から成る、電子レンジ対応の金属容器。
【請求項１５】
前記選択的に着脱可能な金属フタが、前記選択的に着脱可能なフタを、前記金属製側壁の上端付近で剪断することで、缶切りで取り外され得る、請求項１４に記載の電子レンジ対応の金属容器。
【請求項１６】
前記選択的に着脱可能な金属フタが、前記選択的に着脱可能なフタの上表面に相互接続されるプルタブからさらに成り、前記プルタブに力が加えられた場合に、前記着脱可能な金属フタが、前記金属側壁の前記上端から離れる、請求項１４に記載の電子レンジ対応の金属容器。
【請求項１７】
前記電子レンジ対応の金属容器の上部上に配されるように成っている、着脱式の非金属製フタからさらに成る、請求項１４に記載の電子レンジ対応の金属容器。
【請求項１８】
前記可動式の非金属製フタが、熱および蒸気の放出を可能にするため、穴を開けられている、請求項１７に記載の電子レンジ対応の金属容器。
【請求項１９】
少なくとも前記金属側壁が、錫メッキ鋼と無錫鋼から構成される、請求項１４に記載の電子レンジ対応の金属容器。
【請求項２０】
密封シールされた４ピースから成る電子レンジ対応金属製容器であって、
下端と上端とから成り、少なくとも約２インチの高さを定義する金属製側壁部と、
前記金属製側壁部の前記上端にシール状態に相互接続される金属製フタと、
前記金属製側壁部の前記下端に相互接続され、少なくとも約１．２５平方インチの表面積を有する、電子レンジ対応の透明底面と、
前記電子レンジ対応の透明底面の周縁と、前記金属製側壁部の下端とに機能的に相互接続される補強部材と、密封シールが作り出されることと
から成る金属製容器。
【請求項２１】
前記補強部材が金属材料から成る、請求項２０に記載の金属製容器。
【請求項２２】
前記密封シールと接触して配されるシール材料からさらに成る、請求項２０に記載の金属製容器。
【請求項２３】
前記補強部材と、前記電子レンジ対応の透明底面と、前記側壁の前記下端とが、少なくとも５つの明白な層を有する断面構成で継ぎ合わされる、請求項２０に記載の４ピースから成る金属製容器。
【請求項２４】
前記電子レンジ対応の透明底面が、密封シールされる様態に、前記金属製側壁の下部上に配されるフランジに溶接される、請求項２０に記載の４ピースから成る金属製容器。
【請求項２５】
前記金属製側壁部の前記上端上に配され、前記金属製フタの取り外し後に、前記電子レンジ対応の金属製容器上に配されるようになっている、選択的に着脱可能なプラスチック製フタからさらに成る、請求項２０に記載の４ピースから成る金属製容器。
【請求項２６】
前記着脱可能なプラスチック製フタが、前記４ピースから成る電子レンジ対応容器内に保存される食料品の調理中に蒸気と熱の排出を可能にする複数個の開口部からさらに成る、請求項２５に記載の４ピースから成る金属製容器。
【請求項２７】
前記容器の前記上端が、前記下端とは区別可能な直径を有する、請求項２０に記載の４ピースから成る金属製容器。
【発明の詳細な説明】
【技術分野】
【０００１】
本発明は、食品および飲料容器に関し、詳細には、電子レンジ内で加熱が可能な生鮮食料品に使用される金属製の容器に関する。
【背景技術】
【０００２】
電子レンジの導入により、従来の電子レンジ内で加熱され得る、使い捨ての食品および飲料容器に莫大な需要が発生した。当該容器は、個別の電子レンジ対応のボウルを利用する必要性と、それに関連する不便さを排除し、食品および飲料品を保存し、これらの品目を加熱し、その後、これらの品目を食卓に供するためのボウルまたはトレイとして当該容器を使用するために用いられる容器を提供する。電子レンジ対応ボウルは、使用後、洗浄されるのではなく、便利に廃棄またはリサイクルされる。本願で使用される場合、「食料品」という用語は、固体および液体の食品ならびに飲料品の両方に適用され、乳製品、スープ、調乳などの低温殺菌液体および、肉、野菜、果物などの固体を含むがこれに限らない。
【０００３】
一般的に、電気的「アーク放電」の可能性と、金属材料が従来の電子レンジでは使用できないという一般大衆の誤解により、金属製容器は、電子レンジ内での食料品の加熱には利用されてこなかった。過去には電子レンジ対応の金属製容器を設計する試みが行われてきたが、これらの製品は、一般的にその設計と使用が非常に限られ、実用的ではなかった。たとえば、米国特許第４，５５８，１９８号および第４，４６８９，４５８号は、約１インチ未満という高さ制限があり、大量の食料品の保存には実用的ではない電子レンジ対応の金属製容器について記述している。
【０００４】
サイモンらの特許文献１（「'８７２特許」）は、電子レンジ対応の透明材料を利用す
る、電子レンジ対応の金属製容器を開示している。ただし、' ８７２特許は、長期間、真空状態で食品を安全に保存するために十分であり、金属容器の下部全体と側壁が、アーク放電を防止するために電気絶縁材料内に包まれることを必要とする密封シールを利用していない。さらに、当該器具は、容器側壁が、物体を加熱するために用いられるマイクロ波放射の波長の約４０％未満の高さを有することを要求し、これは非常に実用的あるいは機能的ではない。
【０００５】
電子レンジ対応容器内に食品を保存および調理する、より最近の試みは、非金属製プラスチックおよび発泡体タイプの材料を用いて行われた。当該製品は電子レンジでの使用に適しており、一般消費者に概ね受け入れられているが、金属製容器と比較すると多数の不利点がある。詳細には、非金属製発泡体とプラスチック製の容器は熱伝導特性が非常に劣っており、これらの種類の容器は、食品加工工場での加熱と冷却に大幅に余分な時間を要する。従って、これらの種類の容器は、詰め入れ作業中の詰め入れと滅菌に非常に時間がかかり、高価であり、かくして大量生産には非効率的である。
【０００６】
さらに、非金属製容器は、金属製容器のように剛性ではなく、従って、金属製容器ほど高く積み上げられず、出荷可能な量を制限し、従って支出を上げる。加えて、非金属製容器は耐久性がなく、出荷および販売用の設置中に損傷および漏れが生じる恐れがあり、追加支出が加わる。さらに、多層バリアプラスチックおよび発泡体は、一般的に金属製容器のようにリサイクルできず、埋め立てゴミ処理地に送られ、従って環境に優しくない。
【０００７】
最後に、非金属製プラスチックおよび発泡体の容器内で電子レンジで調理された食料品は概して過熱し、容器表面に近い部分が焦げ、一方で、容器中央部の食料品は最後に加熱
し、したがって撹拌を必要とするか、低温のままとなる。さらに、特に、非金属製プラスチックおよび発泡体が過熱時に溶解および変形し得るため、非金属製容器内で食品を調理する場合の化学成分の剥離の恐れとその後の味の変化に関する一般的な健康上の懸念がある。
【０００８】
かくして、食品および飲料品容器産業において、電子レンジ内で食料品を調理するために使用可能で、前述の健康、出荷、詰め入れ時の問題の多くを排除する経済的な金属製容器を提供する大きなニーズがある。
【特許文献１】米国特許第５，９６１，８７２号
【発明の開示】
【発明が解決しようとする課題】
【０００９】
かくして、密封シールされ、食料品を長期間保存できる、金属製の電子レンジ対応の金属容器を提供することが本発明の一側面である。したがって、本発明の一実施例において、金属製容器は、その側壁の下端が非金属製の電子レンジ対応の透明な材料にシールされて提供される。電子レンジ対応の透明材料と側壁は、補強材料に二重に継ぎ合わされることが好適であり、長期耐用性の密閉機密シールを作り出すため、シーラント材料をさらに利用してもよい。
【課題を解決するための手段】
【００１０】
本発明のさらなる側面は、内部に含まれる食料品を、従来のプラスチックおよび発泡体の容器で見られるような「外から中」方式ではなく、「中から外に」おおむね加熱する電子レンジ対応の金属製容器を提供することである。したがって、本発明の一実施例において、独特の幾何形状の容器が提供され、容器の下端の電子レンジ対応の透明材料は約１．２５平方インチ以上の表面積を有する間。詳細には、一実施例における金属製容器は、容器の下部よりも直径が大きい上部を有し、したがって、その内部に含まれる食料品の効率的な調理を促進する、実質的に円錐形の幾何形状を有する。
【００１１】
本発明のさらなる側面は、容器産業および消費者の両方によって同様に十分に受け入れられている周知の材料と製造工程を利用する、電子レンジ対応の金属製容器を提供することである。したがって、本発明の一実施例において、鋼鉄、アルミニウム、錫メッキ鋼から編集され、ポリプロピレン／ＥＶＯＨ、ポリエチレン、ポリプロピレン、および当業で周知のその他の同様の材料から成る電子レンジ対応の透明材料を利用する、電子レンジ対応の金属製容器が提供される。さらに、金属製容器製造業において周知であり、材料の多層を相互接続できる二重継ぎ合わせプロセスにより、金属製またはプラスチック製補強部材で、電子レンジ対応の透明材料を金属製容器の側壁に相互接続できる。あるいは、または二重継ぎ合わせプロセスと組み合わせて、電子レンジ対応の透明材料は、容器側壁のフランジ部または補強部材に溶接または化学的手段で接着され得る。
【００１２】
本発明のもう１つの側面は、あるいは、金属製容器の側壁の下端に溶接されるか、化学的にシールされる、電子レンジ対応の透明材料を利用する、電子レンジ対応の金属製容器を提供することである。したがって、本発明の一実施例において、電子レンジ対応の透明材料に金属製の容器の側壁を相互接続するために二重継ぎ合わせは必要なく、金属製側壁と電子レンジ対応の透明な底部で十分な剛性が得られるため、支持に必要な補強部材も必要ない。
【００１３】
本発明のもう１つの側面は、容器内での食料品の加熱に関して、より効率的なボウルまたは容器の形状を提供することである。したがって、本発明の一実施例において、下部よりも直径が大きい上部を利用するか、あるいは上部よりも直径が大きい下部を利用する容器が提供される。あるいは、ほぼ同じ直径の上部と下部の上部を備えた容器が利用され得
る。
【００１４】
かくして、本発明の一側面において、電子レンジ対応の金属製容器が提供され、
電子レンジにて食料品を調理するための、上端と下端とにより定義される金属製側壁を含む、実質的に金属製の容器と、
前記金属製側壁の前記上端に機能的に相互接続される、選択的に着脱可能なフタと、
密封シールを発生させるため、前記金属製側壁の前記下端に継ぎ合わせられる、電子レンジ対応の透明な底部と、食料品が、前記選択的に着脱可能なフタの取り外し時に、前記実質的に金属製の容器内で保存またはその後に調理され得ることとから成る。
【発明を実施するための最良の形態】
【００１５】
（詳細な説明）
ここで図を参照するが、図１〜１１は電子レンジ対応の金属製ボウルのさまざまな実施例を示す。まず図１を参照すると、本発明の電子レンジ対応の容器が分解図で示され、相互接続されるプルタブ２６を備えた金属製のフタ４を示し、その上に配される着脱式のプラスチック製フタ６も図示される。使用時、食料品が詰め入れ作業中に容器内に配された後、金属製のフタ４は、容器の金属製の側壁上部１０に密封シールされる。使用中、金属フタ４は金属製側壁８から取り外され、飛びはねを防止し、電子レンジ対応容器２内に含まれる食料品の加熱を向上するため、着脱式のプラスチック製フタ６が、金属製側壁８の上端上に配される。
【００１６】
次に図２を参照すると、電子レンジ対応容器２の一実施例の上部の詳細図が示され、シーラント材料２０と組み合わせて使用される金属フタ４の相互接続を図示し、さらに、着脱式のプラスチックフタ６を保持するために用いられる下部リップとの継ぎ目を示す。あるいは、金属製フタ４は、容器製造業にて一般的に使用される従来の二重継ぎ合わせによって、金属製側壁上部に相互接続される。
【００１７】
次に図３を参照すると、図１の電子レンジ対応容器２は、底面透視図から見たものとして示される。詳細には、電子レンジ対応容器２は、側壁上部１０と、金属製側壁下部１２と、電子レンジ対応の透明の底部１４を金属製側壁８に相互接続するために用いられる補強部材１６とを含む、金属製側壁８から成る。本発明の一実施例において、電子レンジ対応の透明材料は、ポリプロピレン／ＥＶＯＨ、ナイロン、ＰＥＴまたはその他のプラスチックから構成され、当業者には明白なように、電子レンジ対応のエネルギーの通過を可能にするいかなる数の材料からも成ることができる。
【００１８】
さらに、本発明の好適な一実施例において、電子レンジ対応の透明な底部１４は、電子レンジ対応容器２内に含まれる食料品の最適の加熱を可能にするため、少なくとも約１．２５平方インチの断面積を有する。底部補強部材１６が、電子レンジ対応の透明底部１４に金属製側壁下部１２を相互接続するために用いられ、一般的に、アルミニウムまたは鋼鉄などの金属材料から構成される。ただし、当業者には明白なように、この材料は、ポリプロピレン、ポリエチレン、あるいはその他の当業で周知の材料などのプラスチック材料からも成ることが可能である。
【００１９】
次に図４を参照すると、電子レンジ対応容器２の一実施例のカッタウェイ断面図が示され、図５でさらに示される、金属製側壁下部１２と底部補強部材１６に、電子レンジ対応の透明底部１４を相互接続するために用いられる二重継ぎ目の更なる詳細を示す。図５に図示されるように、本発明の一実施例では、従来の二重継ぎ目３０が用いられ、電子レンジ対応の透明材料１８の周辺部と、金属製側壁１２の下部とに底部補強部材１６を効率的に相互接続する。加えて、電子レンジ対応容器２の密封シールを向上し、保証するため、シーラント材料２０を、金属製側壁下部１２、電子レンジ対応の透明材料１８、または底
部補強部材１６のいずれかの少なくとも２つの間に配することもできる。シーラントは、エラストマ、シリコン、あるいはラテックスベースの材料から構成されることが好適である。
【００２０】
次に図６を参照すると、本発明の別の実施例が、電子レンジ対応の透明材料１８用に別の幾何パターンを用いる電子レンジ対応容器２の底部透視図を描いて示される。本実施例において、底部補強部材１６にさらなる剛性が与えられ、個別の４個の電子レンジ対応の透明材料１８を作製するが、当業者には明白なように、いかなる種類の幾何形状および構成を用いてもよい。好適には、また前述のように、電子レンジ対応の透明材料１８は、電子レンジ対応容器２内に含まれる食料品を効率的に加熱するに十分な表面積を有し、従って、好適には少なくとも約１．２５平方インチであり、より好適には、約３．０平方インチである。
【００２１】
さらに、再び図６を参照すると、容器２の上部は下部よりも直径が大きく、概ね円筒形状である従来の食品容器と比較した場合、優れた加熱特性を有するようである。あるいは、容器２の下部は、容器上部よりも大きい直径を有するよう設計されることが可能であり、あるいは概ね円筒形状を用いることもできる。
【００２２】
次に図７〜１１を参照すると、電子レンジ対応容器２の別の実施例の下部の断面前面立体図が示される。詳細には、電子レンジ対応の透明材料１８と、底部補強部材１６と、側壁１２の下部との相互接続を示すさまざまな実施例が図示される。詳細には、図７に図示されるように、電子レンジの透明材料１８を、底部補強材料１６の上縁にそって底部補強部材１６に効果的に相互接続する溶接部２２が設けられる。図８に図示されるように、本実施例の溶接部２２は、底部補強部材１６の一部上と、底部縁の一部にそって伸びる。次に図９を参照すると、電子レンジ対応の透明材料１８と底部補強部材１６の間のシールのさらに別の実施例が図示され、溶接部２２が、多少異なる構成で、底部補強部材１６にそって下向きに伸びる。
【００２３】
次に図１０〜１１を参照すると、本発明の別の２つの実施例が図示され、電子レンジ対応の透明材料１４を容器側壁の下部１２に相互接続するために二重継ぎ目が使用されない。さらに、図１０および図１１で図示される実施例の両方で、電子レンジ対応容器２は、電子レンジ対応の透明材料１４上に完全に置かれ、底部補強材料１６には条件はない。そうではなく、密封シールを生じるため、容器側壁１２の下部は電子レンジ対応透明材料１４に単に直接溶接２２され、それによって、補強部材１５６の条件と、これらの材料を互いに二重に継ぎ合わせる工程を完全に排除する。さらに、金属製側壁１２と電子レンジ対応透明材料１８の固有の剛性に基づき、底部補強部材１６が不要であり、したがって大幅なコストダウンとなる。
【００２４】
図７〜１１に示される幾何構成の各々は効果的であることが証明されているが、当業者には明白なように、これ以外の多数の変形が提供され得、好適な幾何形状、材料コストおよび／または製造会社によって決定されることが可能である。
【００２５】
次に１０〜１４図を参照すると、本発明の電子レンジ対応ハイブリッド容器２の加熱効率を、典型的なプラスチック製または発泡体の電子レンジ対応ボウル、より詳細には、ポリプロピレンＥＶＯＨ熱成形されたバリアシート材料と比較するために、開発中に測定された試験データを要約する棒グラフが示される。グラフに示されるように、各容器にはビーフとカントリー野菜スープを入れ、出力定格１１００ワットで最高１５０秒の時間の間加熱された。この時間の間、スープの温度が、容器内のさまざまな位置で測定され、データが収集され、本願に示される。詳細には、図１０は、電子レンジ対応ハイブリッド容器２とプラスチック製ボウル内のスープの平均温度比較を示しており、一方図１１は、容器
内のスープの中央上部の温度を表している。図１２は中央底部の温度を表し、図１３は上部側面の温度を表し、一方底部側面の温度は図１４で表される。電子レンジ対応容器２と典型的なプラスチック製容器内での加熱状態の比較をさらに表す折れ線グラフがさらに図１５に図示され、これは容器のさまざまな部分における種々の経時的温度状態を示す。
【００２６】
図１０〜１５に図示されるデータによって裏付けられるように、本発明による金属製電子レンジ対応容器２は、容器の中央部で優れた加熱特性を有することが示され、これは容器の側壁および下部付近の内容物を典型的に過熱させ、それによって、プラスチック製容器の変形の危険性と味覚の変化、ならびに内部に含まれる食料品の焼け焦げを生じる典型的なプラスチックおよび発泡体製電子レンジ対応容器と比較して有利である。
【００２７】
図１０〜１５を描くために用いられたテストデータに関し、容器内のさまざまな位置で測定された温度を示す表１が本願にて示され、従来のプラスチック製電子レンジ対応ボウルと、本発明による金属製電子レンジ対応のハイブリッドボウルの両方を比較する。たとえば、６０秒後には、ハイブリッドボウルの中央底部は約７８．３℃（１７３°Ｆ）の温度に達するが、従来のＥＶＯＨ熱成形バリア材料製のプラスチック／発泡体ボウルは約４１．６℃（１０７°Ｆ）の温度に過ぎない。さらに、従来のボウルの上部側面は温度が約７２．７℃（１６３°Ｆ）であるのに対し、本発明によるハイブリッドボウルでは、温度は約２８．３℃（８３°Ｆ）である。同様な測定値は９０秒および１５０秒の時間でもみとめられ、「外から中」に対して「中から外」に加熱し、したがって側壁にそった容器の不均一な加熱と変形の可能性を大幅に減少するハイブリッドボウルの利点を明白に示す。
【００２８】
【表１】
2007528262.tif 000003
明確にするため、以下は、図で使用した構成部品およびその番号のリストである。
＃   構成部品
２   電子レンジ対応容器
４   金属製フタ
６   着脱式プラスチック製フタ
８   金属製側壁
１０   金属製側壁上部
１２   金属製側壁下部
１４   電子レンジ対応透明底部
１６   底部補強部材
１８   電子レンジ対応透明材料の周縁
２０   シーラント材料
２２   溶接部
２４   絶縁材料
２６   プルタブ
２８   通風孔
３０   二重継ぎ目
好適な実施例の代替物を記述するため努力してきたが、これ以外の代替物も当業者には簡単に想定される。したがって、本発明を、その精神または中心的な特性から逸脱することなく、他の特定形態で実施され得ることは明白である。したがって、本例および実施例はすべての面で例示的であるとみなされ、制限的であるとみなされるべきではなく、本発明は本願に示される詳細に限定されることを意図していない。
【図面の簡単な説明】
【００２９】
【図１】金属製の電子レンジ対応ボウルの前面分解透視図。
【図２】図１に図示される実施例のフタの構成の前面透視図。
【図３】図１に示される本発明の一実施例の底面透視図で、底部に電子レンジ対応の透明材料を備えた金属製の電子レンジ対応ボウルを示す。
【図４】図１に図示される容器の断面図。
【図５ａ】図４に図示される金属製の電子レンジ対応ボウルの下部の前面カッタウェイ透視図で、その内部のさまざまな構成部品を示す。
【図５ｂ】図５ａに図示される容器の拡大図。
【図６】本発明の別の実施例の底面透視図。
【図７】本発明の下部の別の実施例を描く断面前面立体図。
【図８】金属製の電子レンジ対応ボウルの下部の別の実施例の断面前面立体図。
【図９】金属製の電子レンジ対応ボウルの下部の断面前面立体図で、別の実施例を示す。
【図１０】金属製の電子レンジ対応ボウルの下部の断面前面立体図で、別の実施例を示す。
【図１１】金属製の電子レンジ対応ボウルの下部の断面前面立体図で、別の実施例を示す。
【図１２】典型的な電子レンジ対応のプラスチック製ボウルと比較した場合の、本発明のハイブリッドボウル内で加熱されるスープの平均温度の比較を表す棒グラフ。
【図１３】従来のプラスチック製ボウルと本発明のハイブリッドボウルで加熱されるスープ材料の中央上部の温度を示す棒グラフ。
【図１４】従来のプラスチック製ボウルと比較した場合の、本発明の電子レンジ対応のハイブリッドボウルで調理されるスープの中央底部の温度を示す棒グラフ。
【図１５】本発明のハイブリッドボウルと従来のプラスチック製ボウルで調理されるスープの上部側面温度比較を表す棒グラフ。
【図１６】従来のプラスチック製ボウルと比較した場合の、本発明の電子レンジ対応のハイブリッドボウルの底部側面温度を示す棒グラフ。
【図１７】従来のプラスチック製ボウルと比較した、本発明の電子レンジ対応のハイブリッド金属製ボウルで調理されるスープの、時間に対する温度を示す棒グラフ。
【図１】
2007528262.tif 000004
【図２】
2007528262.tif 000005
【図３】
2007528262.tif 000006
【図４】
2007528262.tif 000007
【図５ａ】
2007528262.tif 000008
【図５ｂ】
2007528262.tif 000009
【図６】
2007528262.tif 000010
【図７】
2007528262.tif 000011
【図８】
2007528262.tif 000012
【図９】
2007528262.tif 000013
【図１０】
2007528262.tif 000014
【図１１】
2007528262.tif 000015
【図１２】
2007528262.tif 000016
【図１３】
2007528262.tif 000017
【図１４】
2007528262.tif 000018
【図１５】
2007528262.tif 000019
【図１６】
2007528262.tif 000020
【図１７】
2007528262.tif 000021
【国際調査報告】
2007528262.tif 000022